(57)【要約】【課題】除湿ロータの回転が阻害されるのを防ぐことできて、除湿能力の低下も防ぐことができる除湿機を提供する。【解決手段】除湿ユニットが備える除湿ロータは、除湿エレメントと、除湿エレメントを保持する保持板５２と、保持板５２および除湿エレメントを回転駆動するための従動歯車５３とを有する。保持板５２は、ボス部６１と、ボス部６１を取り囲むように配置されると共に、従動歯車５３に連結されて、第１スリット６２５および第２スリット６２６が設けられた輪状円板部６２と、輪状円板部６２とボス部６１とを連結するアーム部６３とを含んでいる。【選択図】図８Ｃ
2011062646.tif 000002
【特許請求の範囲】
【請求項１】
ハウジング(３０１，３０３)と、
上記ハウジング(３０１，３０３)に回転自在に取り付けられた除湿ロータ(３４)と、
上記除湿ロータ(３４)へ空気を送る送風機(３３)と、
上記除湿ロータ(３４)へ流れる空気を加熱する加熱部(３０１)と、
上記除湿ロータ(３４)を経由した空気中の水分を凝縮させる凝縮器(３７)と
を備え、
上記除湿ロータ(３４)は、
除湿エレメント(５１)と、
上記除湿エレメント(５１)を保持する保持部(５２)と、
上記保持部(５２)および上記除湿エレメント(５１)を回転駆動するためのギア部材(５３)と
を有し、
上記保持部(５２)は、
ボス部(６１)と、
上記ボス部(６１)を取り囲むように配置されると共に、上記ギア部材(５３)に連結されて、スリット(６２５，６２６)が設けられた輪状円板部(６２)と、
上記輪状円板部(６２)と上記ボス部(６１)とを連結するアーム部(６３)と
を含んでいることを特徴とする除湿機。
【請求項２】
請求項１に記載の除湿機において、
上記スリット(６２５，６２６)は、上記アーム部(６３)に位相が重なるように設けられた少なくとも１つの第１スリット(６２５)を含むことを特徴とする除湿機。
【請求項３】
請求項１または２に記載の除湿機において、
上記保持部(５２)は、上記輪状円板部(６２)と上記ギア部材(５３)とをねじで連結するためのねじ止め部(６２３)を含み、
上記スリット(６２５，６２６)は、上記ねじ止め部(６２３)に隣接するように設けられた第２スリット(６２６)を含むことを特徴とする除湿機。
【請求項４】
請求項３に記載の除湿機において、
上記第２スリット(６２６)は、上記ねじ止め部(６２３)の先端側の幅に比べて奥側の幅が狭くなるように設けられていることを特徴とする除湿機。
【発明の詳細な説明】
【技術分野】
【０００１】
本発明は除湿機に関する。
【背景技術】
【０００２】
従来、除湿機としては、特開２００８−８６９９５号公報（特許文献１）に記載されているように、除湿ロータを備えたものがある。この除湿ロータは、円板形状の除湿エレメントと、この除湿ロータを保持する保持板とを有している。この保持板は、除湿エレメントの一端面に略平行な部分と、この部分に略直角をなして連なる部分とを含んでいる。
【０００３】
このような保持板を絞り加工で形成すると、保持板に反りが生じてしまう。上記保持板に反りがあると、吸着ロータの回転時に、保持板が周囲部材に接触し、除湿ロータの回転が阻害されてしまうという問題があった。
【０００４】
また、上記保持板に反りがある場合、保持板が周囲部材に接触しないように、保持板と周囲部材との間のクリアランスを大きくしなければならない。
【０００５】
しかしながら、上記クリアランスの拡大は、再生風の漏れを増大させ、除湿能力の低下を引き起こしてしまう。
【先行技術文献】
【特許文献】
【０００６】
【特許文献１】特開２００８−８６９９５号公報（図４）
【発明の概要】
【発明が解決しようとする課題】
【０００７】
そこで、本発明の課題は、除湿ロータの回転が阻害されるのを防ぐことができて、除湿能力の低下も防ぐことができる除湿機を提供することにある。
【課題を解決するための手段】
【０００８】
上記課題を解決するため、本発明の除湿機は、
ハウジングと、
上記ハウジングに回転自在に取り付けられた除湿ロータと、
上記除湿ロータへ空気を送る送風機と、
上記除湿ロータへ流れる空気を加熱する加熱部と、
上記除湿ロータを経由した空気中の水分を凝縮させる凝縮器と
を備え、
上記除湿ロータは、
除湿エレメントと、
上記除湿エレメントを保持する保持部と、
上記保持部および上記除湿エレメントを回転駆動するためのギア部材と
を有し、
上記保持部は、
ボス部と、
上記ボス部を取り囲むように配置されると共に、上記ギア部材に連結されて、スリットが設けられた輪状円板部と、
上記輪状円板部と上記ボス部とを連結するアーム部と
を含んでいることを特徴としている。
【０００９】
上記構成の除湿機によれば、上記保持部の輪状円板部にはスリットが設けられているので、保持部を例えば絞り加工で形成したときに、保持部に反りが生じるのを防ぐことができる。
【００１０】
したがって、上記ハウジングに対する除湿ロータの接触を低減し、除湿ロータの回転がハウジングで阻害されるのを防ぐことができる。
【００１１】
また、上記保持部の反りを防止できることによって、ハウジングと除湿ロータとの間のクリアランスを小さくできるので、除湿能力の低下も防止できる。
【００１２】
一実施形態の除湿機では、
上記スリットは、上記アーム部に位相が重なるように設けられた少なくとも１つの第１スリットを含む。
【００１３】
上記実施形態の除湿機によれば、上記第１スリットはアーム部に位相が重なるように設けられているので、保持部の強度の低下を小さく抑えることができる。
【００１４】
一実施形態の除湿機では、
上記保持部は、上記輪状円板部と上記ギア部材とをねじで連結するためのねじ止め部を含み、
上記スリットは、上記ねじ止め部に隣接するように設けられた第２スリットを含む。
【００１５】
上記実施形態の除湿機によれば、上記第２スリットはねじ止め部に隣接するように設けられているので、ねじ止め部の反りを防止できる。
【００１６】
一実施形態の除湿機では、
上記第２スリットは、上記ねじ止め部の先端側の幅に比べて奥側の幅が狭くなるように設けられている。
【００１７】
上記実施形態の除湿機によれば、上記第２スリットは、ねじ止め部の先端側の幅に比べて奥側の幅が狭くなるように設けられているので、保持部の強度の低下を小さく抑えつつ、保持部の反りを防止できる。
【発明の効果】
【００１８】
本発明の除湿機によれば、保持部はスリットが設けられた輪状円板部を含んでいるので、保持部を例えば絞り加工で形成したときに、保持部に反りが生じるのを防ぐことができる。
【００１９】
したがって、上記ハウジングに対する除湿ロータの接触を低減し、除湿ロータの回転がハウジングで阻害されるのを防ぐことができる。
【００２０】
また、上記保持部の反りを防止できることによって、ハウジングと除湿ロータとの間のクリアランスを小さくできるので、除湿能力の低下も防止できる。
【図面の簡単な説明】
【００２１】
【図１】図１は本発明の一実施形態の空気調和機の斜視図である。
【図２】図２は上記空気調和機の加湿ユニットの斜視図である。
【図３】図３は上記加湿ユニットの他の斜視図である。
【図４】図４は上記空気調和機の除湿ユニットの正面図である。
【図５】図５は上記除湿ユニットの分解斜視図である。
【図６】図６は上記除湿ユニットのユニット本体の分解斜視図である。
【図７】図７は上記除湿ユニットの除湿ロータの分解斜視図である。
【図８Ａ】図８Ａは上記除湿ロータの保持板の正面図である。
【図８Ｂ】図８Ｂは上記保持板の上面図である。
【図８Ｃ】図８Ｃは図８ＡのＣ−Ｃ線矢視の断面図である。
【図８Ｄ】図８Ｄは上記保持板の側面図である。
【図９】図９は上記除湿ロータの要部の模式断面図である。
【発明を実施するための形態】
【００２２】
以下、図面を参照しながら、本発明の実施形態について説明する。なお、以下の実施形態は、本発明の一具体例であって、本発明の技術的範囲を限定するものではない。
【００２３】
〔空気調和機の構成〕
本発明の一実施形態に係る空気調和機は、除湿機能、加湿機能および空気清浄機能を有しており、除湿運転時は除湿機として、加湿運転時は加湿機として、空気清浄運転時は空気清浄機として働く。また、本実施形態では、単一機能だけでなく、同時に複数の機能を組合せて稼働させることができる。例えば、空気清浄機能と除湿機能との組合せ、空気清浄機能と加湿機能との組合せ、および除湿機能と加湿機能との組合せである。
【００２４】
図１は、本発明の一実施形態に係る空気調和機１の斜視図である。
【００２５】
上記空気調和機１では、送風機２、除湿ユニット３、加湿ユニット４、空気清浄部５および制御部６が、本体１０に収納されている。この本体１０内では、空気流路Ａに対して、除湿領域が、加湿領域よりも上流側に位置している。但し、空気流路Ａに対して、除湿領域が、加湿領域よりも下流に位置するようにしてもよい。なぜなら、加湿運転から除湿運転に切替えられたときに、加湿ユニット４を通過する空気が、加湿ユニット４に残留する水分を吸収した場合でも、その空気は、除湿ユニット３を通過するので確実に除湿された空気を放出することができるからである。さらに、本実施形態では、ユーザーが容易に空気調和機１を移動させることができるように、本体１０の下面（室内の床面と対向する面）に、キャスター（図示せず）が設けられている。なお、除湿ユニット３は除湿機の一例である。
【００２６】
上記送風機２は、本体１０において空気清浄部５とは反対側に位置しており、空気清浄部５側から視たとき、空気清浄部５、除湿ユニット３、加湿ユニット４、送風機２の順で並んでいる。送風機２が稼働しているとき、空気が空気清浄部５側から吸い込まれて、除湿ユニット３を通過した後に、加湿ユニット４を通過して送風機２に至る空気風路Ａが形成される。
【００２７】
上記制御部６は、本体１０の上部に配置されおり、空気清浄部５、除湿ユニット３、加湿ユニット４および送風機２を個別に制御することができる。
【００２８】
〔加湿ユニット〕
図２は、上記加湿ユニット４の斜視図である。
【００２９】
上記加湿ユニット４は、貯水容器４０、気化素子４１、水車４２および駆動部４３を有している。この貯水容器４０は、空気流路Ａを通る空気に与える水分の水源であり、本体１に脱着可能に収納されている。また、貯水容器４０内の水が不足している場合は、ユーザーが本体１０の引き出し口１２から貯水容器４０を引き出して、貯水容器４０に水を補充する。なお、本実施形態の空気調和機においては、除湿ユニット３で捕獲された水を貯水容器４０に貯めて、水の補充の回数を低減している。
【００３０】
上記気化素子４１は、不織布で円板状に成形され、回転することによって貯水容器４０から送られてくる水を蒸発させる気化部材である。気化素子４１は外周に第１歯車４１１を有しており、第１歯車４１１は駆動部４３によって回転する。気化素子４１は、貯水容器４０の満水時の水位よりも上方に配置されているので、貯水容器４０内の水とは直接接触していない。
【００３１】
図３は、図２の空気流路Ａの下流側から視た加湿ユニット４の斜視図である。
【００３２】
上記水車４２は、貯水容器４０の軸受４０ａに回転可能に支持されており、貯水容器４０内の水を汲み上げて気化素子４１に向って放出する。加湿ユニット４の厚み方向の寸法を小さくするため、気化素子４１の回転の軸に水車４２の回転の軸を平行にし、気化素子４１と水車４２を互いに近接させて対向させている。
【００３３】
このような配置のため、上記水車４２は、下流側の端面で水を汲み上げて、その端面から気化素子４１の上流側の端面に向って放出する必要があり、水車４２の下流側の端面の外周縁近傍には、台形上の開口を有する複数の凹部４２１ａが設けられている。
【００３４】
また、図１に示すように、上記貯水容器４０は、引き出し式の第１扉１０ａを引き出すことによって、本体１０の引き出し口１２から取り出せるようにしている。これにより、ユーザーは、本体貯水容器４０を取り出して、水の補給および水車４２の洗浄を行うことができるようになっている。
【００３５】
また、上記気化素子４１は、回転式の第２扉１０ｂを開けることによって、本体１０の引き出し口１３から取り出せるようにしている。これにより、ユーザーは、気化素子４１を取り出して交換できるようになっている。
【００３６】
なお、上記貯水容器４０内の水の過不足は、第１扉１０ａに設けられた窓部１０ｃから目視によって確認することができる。より詳しくは、窓部１０ｃは矩形状の孔であり、この孔に貯水容器４０に予め形成されている凸部４０ｃ（図３参照）が嵌合している。ユーザーは、窓部１０ｃの孔から凸部４０ｃに映る水位を目視可能にしている。
【００３７】
また、図２，図３に示すように、上記気化素子４１は、本体１０からの取り出しを容易にするために、回転軸を突出させない形状に成形されている。このため、気化素子４１は、第１歯車４１１が駆動歯車４３１および第２歯車４２３と噛み合うことによって支持されている。第１歯車４１１が、安定した姿勢を維持するために、駆動歯車４３１および第２歯車４２３は、第１歯車４１１の回転軸よりも下方に配置され、且つ、気化素子４１の鉛直中心線に対して互いに反対側に配置されている。これにより、気化素子４１は、軸支持されていなくても、安定して回転することができ、本体１０から取り出されるときには、突出する軸がないので、本体１０内部に引っ掛かることなく容易に取り出せるようになっている。
【００３８】
〔除湿ユニット〕
図４は、空気流路Ａの上流側から視た除湿ユニット３の正面図である。
【００３９】
上記除湿ユニット３は、ユニット本体３１および熱交換部３２から成っており、空気流路Ａの空気を除湿する。
【００４０】
上記ユニット本体３１は循環ファン３３および除湿ロータ３４を備えている。循環ファン３３が吹き出した空気は、除湿ロータ３４を通過した後、熱交換部３２を経由して、再び循環ファン３３に戻って循環するようになっている。なお、循環ファン３３は送風機の一例である。
【００４１】
上記熱交換部３２は、第１ダクト３５、第２ダクト３６および凝縮器３７を有している。熱交換部３２内では、循環ファン３３が稼働しているとき、ユニット本体３１からの空気が点線矢印に沿うように流れる。より詳しくは、ユニット本体３１から出た空気は、第１ダクト３５内を流れた後、凝縮器３７を経由して、第２ダクト３６を流れてユニット本体３１に戻る。このとき、ユニット本体３１から出た空気中の水分は凝縮器３７で凝縮するので、低湿の空気を第２ダクト３６内に流せるようになっている。また、凝縮水は、所定の出口を通過して後述の貯水容器４０へ滴下するようになっている。
【００４２】
上記凝縮器３７は、金属管３７ａを複数有する。第１ダクト３５内の空間は、その複数の金属管３７ａ，３７ａ，…を介して第２ダクト３６内の空間と連通している。また、複数の金属管３７ａ，３７ａ，…は互いに所定の間隔を空けて配置されている。また、空気流路Ａの空気の一部は複数の金属管３７ａ，３７ａ，…の周囲を通過して、複数の金属管３７ａ，３７ａ，…を冷却する。これにより、第１ダクト３５内から複数の金属管３７ａ，３７ａ，…内に入った高温の空気は冷却されて、凝縮水が生じる。なお、空気流路Ａの空気の他の一部は除湿ロータ３４を通過する。
【００４３】
図５は、上記空気流路Ａの上流側から視た除湿ユニット３の分解斜視図である。
【００４４】
上記ユニット本体３１は、熱交換部３２に複数のねじ３８，３８，…で固定される。このとき、循環ファン３３が吹き出した空気を循環させるため、第１ダクト３５の上流側の端部は、ユニット本体３１の下流側の端部（循環ファン３３側とは反対側の端部）に接続する。また、第２ダクト３６の下流側の端部は、吸込口３３ａに対向するように循環ファン３３に接続する。
【００４５】
図６は、上記空気流路Ａの上流側から視たユニット本体３１の分解斜視図である。
【００４６】
上記ユニット本体３１は、循環ファン３３と除湿ロータ３４の他に、ヒータ部３０１、フレーム３０２、チャンバ３０３、チャンバカバー３０４、サーミスタ３０５、温度ヒューズ３０６およびセンサカバー３０７を有する。なお、ヒータ部３０１およびチャンバ３０３はハウジングの一例である。また、ヒータ部３０１は加熱部の一例でもある。
【００４７】
上記ヒータ部３０１は循環ファン３３からの空気を加熱する。この加熱された高温の空気は、ヒータ部３０１の吹出口３０１ａに面する除湿ロータ３４の略扇形状の領域を通過して、その領域の水分を吸収する。また、循環ファン３３はねじ３９Ａでフレーム３０２に固定され、ヒータ部３０１はねじ３９Ｂ，３９Ｃでチャンバ３０３に固定される。
【００４８】
上記フレーム３０２は、除湿ロータ３４の周縁部の略４分の３を覆うように、かつ、ヒータ部３０１とは反対側の端面の略全部を覆わないように形成されている。また、フレーム３０２には、ピニオン歯車３０８と、このピニオン歯車３０８を駆動する駆動モータ３０９とを取り付けている。また、フレーム３０２には、ねじ３９Ｃによって除湿ロータ３４が回転可能に取り付けられている。
【００４９】
上記チャンバ３０３およびチャンバカバー３０４は、除湿ロータ３４からの高湿の空気を第１ダクト３５の上流側の端部へ案内する。チャンバカバー３０４はチャンバ３０３にねじ３９Ｄで固定される。
【００５０】
上記サーミスタ３０５は、チャンバ３０３およびチャンバカバー３０４によって第１ダクト３５へ案内される空気の温度を検出する。
【００５１】
上記温度ヒューズ３０６は、周囲温度が上昇して所定の設定温度に達したときに溶断する。これにより、ヒータ部３０１への電力供給が停止し、循環ファン３３から除湿ロータ３４へ向かう空気の加熱が行われなくなる。
【００５２】
上記センサカバー３０７は、チャンバ３０３にねじ３９Ｅで固定され、サーミスタ３０５および温度ヒューズ３０６を覆う。
【００５３】
図７は、上記空気流路Ａの上流側から視た除湿ロータ３４の分解斜視図である。
【００５４】
上記除湿ロータ３４は、除湿エレメント５１と、この除湿エレメント５１を保持する金属製の保持板５２と、この保持板５２および除湿エレメント５１を回転駆動するための樹脂製の従動歯車５３と、保持板５２にねじ５５Ａで連結固定される樹脂製の中央芯５４とを有する。なお、保持板５２は保持部の一例であり、従動歯車５３はギア部材の一例である。
【００５５】
上記除湿エレメント５１は、ハニカム構造体であり、ゼオライト粉末、バインダーおよび膨張剤を混合して練り上げた材料によって円板状で多孔質に成形されている。バインダーは、例えば、変性ＰＰＥ（ポリフェニレンエーテル）、ポリプロピレン、ポリスチレン、ＡＢＳ（アクリロニトリル・ブタジエン・スチレン）樹脂などの熱可塑性樹脂から選択される。膨張剤は、ハニカム構造体の成形時に膨張し無数の気泡を形成する。このため、除湿エレメント５１は、水分に対して高い吸着性を有している。
【００５６】
上記従動歯車５３には保持板５２がねじ５５Ｂで連結固定される。この従動歯車５３は、除湿ロータ３４をフレーム３０２に取り付けたときに、ピニオン歯車３０８と噛み合う。これにより、駆動モータ３０９の駆動力はピニオン歯車３０８を介して従動歯車５３に伝わり、除湿エレメント５１、保持板５２および中央芯５４が従動歯車５３と共に回転できるようになっている。
【００５７】
上記中央芯５４は除湿エレメント５１の径方向内側の略円柱形状の空間に密に嵌り込む。このとき、中央芯５４の外周面に形成されたリブ５４ａは除湿エレメント５１の内周面に喰い込み、中央芯５４に対して除湿エレメント５１が回転するのを防ぐようになっている。
【００５８】
図８Ａは、上記空気流路Ａの上流側から視た保持板５２の正面図である。また、図８Ｂは上記保持板５２の上面図である。また、図８Ｃは図８ＡのＣ−Ｃ線から視た断面図である。また、図８Ｄは上記保持板５２の側面図である。
【００５９】
上記保持板５２は、図８Ａ〜図８Ｄに示すように、ボス部６１、輪状円板部６２、アーム部６３および補強部６４を含んでいる。
【００６０】
上記ボス部６１は、一部がアーム部６３よりも空気流路Ａの下流側に突出するように形成されている。このボス部６１の一部には貫通孔６５があって、中央芯５４の突起部５４ｂ（図７参照）が貫通孔６５に嵌り込む。そして、貫通孔６５の周囲には６０度の位相間隔で複数の貫通孔６６が設けられている。この各貫通孔６６にはねじ５５Ａの軸部が挿通される。
【００６１】
上記輪状円板部６２は従動歯車５３にねじ５５Ｂで連結固定される。この輪状円板部６２は、ボス部６１を取り囲むように配置されて、複数のアーム部６３を介してボス部６１に連結されている。より詳しくは、輪状円板部６２は、底部６２１および側壁部６２２を含んでいる。底部６２１は、除湿エレメント５１の上流側の端面に略平行となるように設けられている。一方、側壁部６２２は、底部６２１の外周縁部に連なるように、かつ、底部６２１に対して略直角をなすように設けられている。
【００６２】
また、上記輪状円板部６２は複数のねじ止め部６２３を含み、このねじ止め部６２３同士の周方向の間隔は略６０度となっている。各ねじ止め部６２３は、従動歯車５３に輪状円板部６２をねじ５５Ｂで連結固定するためのものである。このため、各ねじ止め部６２３は、ねじ５５Ｂの軸部が挿通される貫通孔６２４を有する。
【００６３】
上記複数のアーム部６３は、ボス部６１から輪状円板部６２に向かって放射状に延びている。また、各アーム部６３は、略円弧形状の補強部６４を介して他のアーム部６３に連結されている。
【００６４】
また、上記輪状円板部６２の側壁部６２２には、アーム部６３に位相が重なるように複数の第１スリット６２５が設けられている。各第１スリット６２５は除湿エレメント３４の回転軸に対して略平行な方向に延びている。また、各第１スリット６２５は、ヒータ部３０１側（底部６２１側とは反対側）の幅に比べて底部６２１側の幅が狭くなるように設けられている。各第１スリット６２５の底部６２１側の端は略円弧形状になっている。
【００６５】
さらに、輪状円板部６２の側壁部６２２には、ねじ止め部６２３に隣接するように複数の第２スリット６２６が設けられている。各第２スリット６２６は除湿エレメント３４の回転軸に対して傾斜する方向に延びている。各第２スリット６２６は、ねじ止め部６２３の先端側（底部６２１側とは反対側）の幅に比べて奥側（底部６２１側）の幅が狭くなるように設けられている。各第２スリット６２６の奥側の端は略円弧形状になっている。
【００６６】
また、図１に示すように、本体１０の最上面には、空気清浄運転、除湿運転および加湿運転を選択する選択パネル１１が設けられており、制御部６と接続されている。選択パネル１１には、除湿ロータ３４の回転と停止とを選択できる選択ボタン３７が含まれており、除湿運転時に選択ボタン３７をオフにすると、除湿ロータ３４の回転が停止し、除湿されなくなる。このとき、ヒータ部３０１と循環ファン３３は稼働しているので、高温の空気は第１ダクト３５および第２ダクト３６内を流れて循環する。このため、空気流路Ａを通過する空気は、熱交換部３５を通過するときに暖められるので、小規模な暖房が行なわれる。このときに加湿ユニット４を同時に稼働させることによって、暖房加湿運転が行なわれる。なお、本実施形態では、制御部６に予め暖房加湿運転モードが設定されており、選択パネル１１から暖房加湿運転を選択できるようにしている。
【００６７】
上記構成の空気調和機によれば、除湿運転時、駆動モータ３０９の稼働に伴い、除湿ロータ３４が回転する。そして、除湿エレメント５１においてチャンバ３０３で覆われていない領域が、空気流路Ａを通過する空気と接触して水分を吸着する。この領域は、水分を吸着した後、除湿ロータ３４の回転により、ヒータ部３０１に対向する。このとき、ヒータ部３０１で加熱された高温の空気が、上記水分を吸着した領域を通過する。これにより、上記水分を吸着した領域は水分を放出して、再び、空気流路Ａを通過する空気と接触して水分を吸着することができる。
【００６８】
このように、上記除湿エレメント５１において水分の吸着および放出が繰り返されるので、空気流路Ａを通過する空気を除湿し続けることができる。
【００６９】
また、上記除湿ユニット３では、保持板５２の輪状円板部６２に第１スリット６２５および第２スリット６２６を設けているので、保持板５２を例えば絞り加工で形成したときに、保持板５２に反りが生じるのを防ぐことができる。
【００７０】
したがって、上記ヒータ部３０１およびチャンバ３０３に対する除湿ロータ３４の接触を低減し、除湿ロータ３４の回転がヒータ部３０１およびチャンバ３０３で阻害されるのを防ぐことができる。
【００７１】
また、上記保持板５２の反りを防止できることによって、図９に示すように、ヒータ部３０１と除湿ロータ３４との間をクリアランスＣ１、および、チャンバ３０３と除湿ロータ３４との間のクリアランスＣ２を小さくできる。
【００７２】
したがって、上記ヒータ部３０１で加熱された高温の空気がクリアランスＣ１，Ｃ２を通過してチャンバ３０３内に流れるのを抑制できるので、除湿能力の低下を防ぐことができる。
【００７３】
また、上記第１スリット６２５はアーム部６３に位相が重なるように設けられているので、保持板５２の強度の低下を小さく抑えることができる。
【００７４】
また、上記第２スリット６２６はねじ止め部６２３に隣接するように設けられているので、ねじ止め６２３の反りを防止できる。
【００７５】
また、上記第２スリット６２６は、ねじ止め部６２３の先端側の幅に比べて奥側の幅が狭くなるように設けられているので、保持板５２の強度の低下を小さく抑えつつ、保持板５２の反りを防止できる。
【００７６】
上記実施形態では、第１スリット６２５および複数の第２スリット６２６の数は、複数であったが、単数にしてもよい。
【００７７】
上記実施形態では、輪状円板部６２の側壁部６２２に、アーム部６３に位相が重なるように複数の第１スリット６２５を設けていたが、アーム部６３に位相が重なるように複数の第１スリットを設けてもよい。
【００７８】
上記実施形態では、第１スリット６２５および第２スリット６２６を、輪状円板部６２の側壁部６２２に設けていたが、輪状円板部６２の底部６２１に設けてもよい。
【００７９】
上記実施形態において、凝縮器３７に換えて、例えば、ペルチェ素子を有する凝縮器を用いてもよい。
【符号の説明】
【００８０】
３３  循環ファン
３４  除湿ロータ
３７  凝縮器
５１  除湿エレメント
５２  保持板
５３  従動歯車
６１  ボス部
６２  輪状円板部
６３  アーム部
３０１  ヒータ部
３０３  チャンバ
６２３  ねじ止め部
６２５  第１スリット
６２６  第２スリット
【図１】
2011062646.tif 000003
【図２】
2011062646.tif 000004
【図３】
2011062646.tif 000005
【図４】
2011062646.tif 000006
【図５】
2011062646.tif 000007
【図６】
2011062646.tif 000008
【図７】
2011062646.tif 000009
【図８Ａ】
2011062646.tif 000010
【図８Ｂ】
2011062646.tif 000011
【図８Ｃ】
2011062646.tif 000012
【図８Ｄ】
2011062646.tif 000013
【図９】
2011062646.tif 000014